(57)【特許請求の範囲】
【請求項１】
第１ケースと第２ケースとが厚さ方向に結合される筐体と、
前記筐体の前記厚さ方向に形成される収納部と、
前記収納部に収納されるホルダ部材に挿入されて保持される電子部品と、
前記筐体に収納される回路基板と、
前記回路基板と前記電子部品とを電気的に接続する接続部材と
を備え、
前記ホルダ部材は、前記厚さ方向と直交する方向から前記電子部品を挿入可能に構成されているとともに、
前記電子部品は、前記接続部材に接続される部品側端子部を有し、
前記接続部材は、一端に前記部品側端子部に結合される接続端子を有し、
前記部品側端子部と前記接続端子とは前記筐体の厚さ方向とは異なる方向で接合されている
電子機器。
【請求項２】
前記部品側端子部と前記接続端子とは前記電子部品の前記ホルダ部材への挿入方向で接合されている
請求項１に記載の電子機器。
【請求項３】
筐体と、
前記筐体に形成される収容部と、
前記収容部に収容されるホルダ部材に挿入されて保持される電子部品と、
前記筐体に収容される回路基板と、
前記回路基板と前記電子部品とを電気的に接続する接続部材と、を備え、
前記収容部が、前記筐体の厚さ方向に形成され、
前記ホルダ部材は、前記厚さ方向と直交する方向から前記電子部品を挿入可能に構成されているとともに、
前記筐体が、第１筐体と第２筐体と両筐体を回転可能に連結するヒンジ機構を備え、
前記ヒンジ機構は、前記厚さ方向に突出する突出部を有し、
前記収納部は、前記突出部の内部に形成されている
電子機器。
【請求項４】
前記接続部材は、前記厚さ方向に折り返された状態で前記ホルダ部材に取り付けられている
請求項１乃至３の何れか１項に記載の電子機器。
【発明の詳細な説明】
【技術分野】
【０００１】
本発明は、電子部品がホルダ部材に挿入された状態で筐体の収納部に収納されている電子機器に関する。
【背景技術】
【０００２】
電子部品としてのバイブレータユニットを、筐体の厚さ方向で筐体の収納部に挿入し、電子部品の電気的接続を筐体の厚さ方向でとる電子部品の収納および接続のための構造が知られている（たとえば特許文献１参照）。
【特許文献１】特開２００５−１９７２９０号公報
【発明の開示】
【発明が解決しようとする課題】
【０００３】
しかし、この電子部品の収納構造では、収納された電子部品に対し、筐体の厚さ方向で電気的接続を取ることから、その接続のための端子やケーブルが、筐体の厚さを増加する要因となる。
【０００４】
本発明が解決しようとする課題は、筐体を薄くすることが可能な電子部品の収納と接続のための構造を有する電子機器を提供することである。
【課題を解決するための手段】
【０００５】
本発明の電子機器は、第１ケースと第２ケースとが厚さ方向に結合される筐体と、前記筐体の前記厚さ方向に形成される収納部と、前記収納部に収納されるホルダ部材に挿入されて保持される電子部品と、前記筐体に収納される回路基板と、前記回路基板と前記電子部品とを電気的に接続する接続部材とを備え、前記ホルダ部材は、前記厚さ方向と直交する方向から前記電子部品を挿入可能に構成されているとともに、前記電子部品は、前記接続部材に接続される部品側端子部を有し、前記接続部材は、一端に前記部品側端子部に結合される接続端子を有し、前記部品側端子部と前記接続端子とは前記筐体の厚さ方向とは異なる方向で接合されている。
【０００６】
本発明では好適に、前記部品側端子部と前記接続端子とは前記電子部品の前記ホルダ部材への挿入方向で接合されている。
【０００７】
本発明の他の電子機器は、筐体と、前記筐体に形成される収容部と、前記収容部に収容されるホルダ部材に挿入されて保持される電子部品と、前記筐体に収容される回路基板と、前記回路基板と前記電子部品とを電気的に接続する接続部材と、を備え、前記収容部が、前記筐体の厚さ方向に形成され、前記ホルダ部材は、前記厚さ方向と直交する方向から前記電子部品を挿入可能に構成されているとともに、前記筐体が、第１筐体と第２筐体と両筐体を回転可能に連結するヒンジ機構を備え、前記ヒンジ機構は、前記厚さ方向に突出する突出部を有し、前記収納部は、前記突出部の内部に形成されている。
本発明では好適に、前記接続部材は、前記厚さ方向に折り返された状態で前記ホルダ部材に取り付けられている。
【発明の効果】
【０００８】
本発明によれば、筐体を薄くすることが可能な電子部品の収納と接続のための構造を有する電子機器を提供することができる。
【発明を実施するための最良の形態】
【０００９】
本発明は種々の電子機器に適用可能であり、とくに、小型化、薄型化が必要な携帯型の電子機器、たとえば携帯電話、小型のオーディオまたはビデオの再生（記録）機器、携帯テレビジョン再生機などに好適に実施できる。
本発明は電子機器の筐体内に収納される電子部品と回路基板との電気的接続構造に関する。電子部品としては、たとえばモータ、スピーカー、カメラ、ライトなどが用いられる。
【００１０】
以下、携帯電話機のヒンジ部のバイブレータユニットに収納されるモータを電子部品の例として、本発明の実施形態を、図面を参照して説明する。
【００１１】
図１に、携帯電話機の概観図を示す。
図解した携帯電話機１は、メインディスプレイ２１を備える一方の筐体２と、フロント面３１を備える他方の筐体３とが、一方の筐体２の基部２Ａに設けられているヒンジ部（開閉機構）４により開閉自在に連結されている。
このため携帯電話機１は、図示のように開き、また、メインディスプレイ面とキー操作面が互いに向き合うように折りたたむことができる。
【００１２】
筐体２と筐体３のぞれぞれは、２つの筐体片を貼り合わせて固定することによって内部空間を形成し、その内部空間に必要な電子部品等を実装している。図１ではメインディスプレイ２１側の筐体片（フロントケース）２５と、もう片方の筐体片（リアケース）２６とにより筐体２が構成されていることを示している。
【００１３】
筐体内部の電子部品位置に対応して筐体の外面に各種操作部等が配置されている。
具体的に図１の例では、開時に現れる筐体３のフロント面３１には通話キー、終話キー、テンキーなどを含む操作キー３２が配置され、操作キー３２の近く（図の下方）にマイクロフォン３３が設けられている。
一方、筐体２のディスプレイ面の先端付近（図の上部）にはスピーカー２２が配置されている。
【００１４】
図２（Ａ）と図２（Ｂ）に、携帯電話機１を折りたたんだ状態を示す。
図２（Ａ）は筐体２の外装面（携帯電話機１のフロント面）側から見た図であり、このフロント面には、サブディスプレイ２３と、カメラの光学窓部２４とが配置されている。
図２（Ｂ）は筐体３の外装面（携帯電話機１のバック面）側から見た図であり、このバック面には、バッテリーパックの収納部の蓋３５が配置されている。
【００１５】
筐体３の上方端部（頭部３Ａ）に筐体２のヒンジ部４が連結している。ヒンジ部４は、図２（Ｂ）に示す筐体３の頭部３Ａに軸回転可能に取り付けられている。
【００１６】
この連結部分の携帯電話を開いたときの状態が、図１に示されている。
本実施形態におけるヒンジ部４は、筐体２に対しては固定の部材であり、筐体２の基部２Ａと樹脂によって一体成型し、または、別の材料から形成したヒンジ部４を筐体２の基部２Ａに固定して用いる。ヒンジ部４は、その幅が携帯電話機１の幅より小さく筐体２のメインディスプレイ２１と同じ面から前方（筐体２の厚さ方向）に突出している。
一方、筐体３には、ヒンジ部４の幅より僅かに大きな幅の切欠部３Ｂを有している。そして、ヒンジ部４を切欠部３Ｂに挿入したとき接触に近い状態で対面する切欠部３Ｂの内側側面とヒンジ部４の幅方向の外側端面とを、不図示の内部ピン等によって２箇所、軸回転可能に連結している。この２箇所の軸止箇所を結ぶ線を中心としたほぼ円筒状のヒンジ部４の外周部分は、半周近くに亘って面取りがされており、このヒンジ部４の外周部分に臨む切欠部３Ｂの凸上曲面（図の下側の面）も同様に面取りがされている。これは、携帯電話機１の開閉角度の如何にかかわらず、筐体３とヒンジ部４の近接箇所の隙間をほぼ一定とし、かつ、携帯電話の厚さ方向において隙間を外側ほど広くすることによって、この隙間に物が挟まっても抜けやすくするためである。
【００１７】
このような連結構造をもつヒンジ部４は、その軸止箇所が幅方向両端の２箇所であり、その間にヒンジの開閉機構には利用されない内部空間が存在する。
本実施形態の携帯電話機１は、この内部空間を、モータおよびその収納部材等からなるバイブレータユニットの収納に利用している。
【００１８】
図３に、筐体２を構成する２つの筐体片のうち、メインディスプレイ２１（図１参照）が配置される側のフロントケース２５と部品配置を内部側から見た斜視図を示す。図４に、図３のＡ−Ａ線の断面図を示す。
なお、図示していないもう片方の筐体片（リアケース）２６には、図２（Ａ）のようにサブディスプレイ２３やカメラ等が配置される。
【００１９】
図３に示すフロントケース２５には、そのメインディスプレイ２１（不図示）の裏側に回路基板２７が配置されている。また、フロントケース２５の基部２Ａに相当する部分に、図３の背面側（メインディスプレイ面側）に突出するヒンジ部４が設けられている。ヒンジ部４の幅方向両端面には、回転軸穴４Ａが形成されている。
２つの回転軸穴４Ａ間に形成されているヒンジ部４の内部空間に、バイブレータユニット５が収納されている。
【００２０】
図４の断面図に示すように、ほぼ半円弧状にカーブしたヒンジ部４の外周壁４Ｂの内側により凹形状の収納部が形成されている。バイブレータユニット５は、この凹形状の収納部に図の上方（バック面側）から挿入されて収納されている。
【００２１】
バイブレータユニット５は、樹脂等からなるホルダ部材としてのモータホルダ５０と、モータホルダ５０内に収納されるモータ６０と、モータホルダ５０の上面側から側面の形状に適合した形に成形されて当該モータホルダ５０と組み合わされる接続部材としてのフレキシブルプリント配線基板７０とを有する。なお、図４ではモータホルダ５０の内部が見えるようにモータ６０の図示を省略している。
【００２２】
図５に、バイブレータユニット５の分解図を示す。
電子部品としてのモータ６０は、モータ本体６１と、当該モータ本体６１の軸に固定され重心がモータ軸からに対して偏っている分銅６２と、モータ本体６１の周面を囲むクッション部材６３とを備える。
【００２３】
モータホルダ５０は、モータ本体６１をクッション部材６３とともに収納する第１収納部５１と、モータ６０の分銅６２が回転するときの空間を確保する第２収納部５２とを備え、これら第１,第２収納部５１,５２の一方の側面（図の手前側の面）が開放されている。また、この開放面と対向するモータ軸方向に長い側面部（長側壁５５）と２つの短側壁５４,５６はほぼ閉じられている。一方、第１収納部５１の底面に支持台部５７が設けられ、第２収納部５２の底面は開放されている。さらに、第１,第２収納部５１,５２間の仕切り板５３の側面は、モータ軸の邪魔にならないように半円弧に形成されている。
この仕切り板５３、長側壁５５、短側壁５４および支持台部５７によって第１収納部５１が形成され、その大きさはモータ本体６１を挿入した状態のクッション部材６３の大きさに適合したサイズとなっている。
【００２４】
第１，第２収納部５１,５２の天板部の上に、フレキシブルプリント配線基板７０を落とし込むガイド溝５８Ａ、傾斜面５８Ｂ、および、一段高い上部ガイド面５８Ｃを含む基板ガイド５８が設けられている。
このうちガイド溝５８Ａは、天板上をほぼ直角に曲がり第１収納部５１の長側壁５５に至るように形成されている。
【００２５】
フレキシブルプリント配線基板７０は、このモータホルダ５０の基板ガイド５８に対応した形状の中間部分７０Ａを有する。
具体的に中間部分７０Ａは、モータホルダ５０のガイド溝５８Ａに対応した形状の第１平坦部７０Ａ−１、傾斜面５８Ｂに対応した形状の傾斜部７０Ａ−２、および、上部ガイド面５８Ｃに対応した形状の第２平坦部７０Ａ−３を備える。
また、フレキシブルプリント配線基板７０は、図４に示す基部境界の仕切り板２５Ａを乗り越えて回路基板２７と接点をとるための基板側部分７０Ｂと、モータ接点をとるためのモータ側部分７０Ｃとを有する。
そのうち回路基板２７との接点をとる一方端部７１と、モータ６０との接点をとる他方端部７２は、それぞれ比較的幅が広い板状に形成されて、フレキシブル配線部７３,７４より高い剛性をもたせてあり、また、それぞれが複数の電極を有する。図５には、他方端部７２に設けられた２つの電極７５,７６が示されている。
【００２６】
バイブレータユニット５の組み立ては、以下のように行う。
まず、図６に示すように、モータホルダ５０に対しフレキシブルプリント配線基板７０を、互いに対応する形状部分同士で組み合わせる。このときフレキシブルプリント配線基板７０のモータ側部分７０Ｃを長側壁５５の外面に沿わせるとともに長側壁５５の下端部で折り返して長側壁５５の内面に沿うように配設して、その他方端部７２を、モータホルダ５０の第１収納部５１内に収納して、フレキシブルプリント配線基板７０を仮固定する。
つぎに、モータ本体６１に分銅６２とクッション部材６３を取り付けたモータ６０を、モータホルダ５０の第２収納部５２と第１収納部５１に、その開放面側（図の手前側）から挿入する。このときクッション部材６３が縮み、その復元力によって第１収納部５１の内壁に隙間をつくることなくモータ６０が収納される。
【００２７】
図７に、モータ６０をクッション部材６３とともに第１収納部５１に挿入して図の矢印の向きに押したときのバイブレータユニット断面を示す。
モータ６０はベース６４に２つのモータ接点６５,６６を備えており、その周囲のクッション部材６３が開口している。
モータ６０を挿入して矢印Ｂの向きに押すと、モータ接点６５がフレキシブルプリント配線基板７０の他方端部７２に設けられた電極７５に接触して押し当てられ、同様に、モータ接点６６が電極７６に接触し押し当てられる。このときフレキシブルプリント配線基板７０においては、モータ側部分７０Ｃが長側壁５５の下端部からモータホルダ５０の上方向（筐体２の厚さ方向）に折り返されるように配設されているため、そのフレキシブル配線部７４の弾性復元力によって矢印Ｃの向きに力が働いており、モータ６０とフレキシブルプリント配線基板７０は互いに押し合う力が働く。よって、モータ６０とフレキシブルプリント配線基板７０の電気的接続が確実に、かつ、強固にとられる。そして、これによりモータホルダ５０に対するフレキシブルプリント配線基板７０の固定も完了する。
【００２８】
図８に示す組み立て後のバイブレータユニット５を、図４に示すヒンジ部４の凹形状の収納部に図の上から挿入する。この挿入の向きを矢印Ｄにより示す。この矢印Ｄの向きは、携帯電話機（筐体２）の厚さ方向とほぼ一致し、また、図７でモータ６０をモータホルダ５０に挿入する向き（矢印Ｂの向き）とは異なる方向、たとえば、ほぼ直交する向きとなる。
このバイブレータユニット５の挿入時に、図７においてクッション部材６３の側面が凹形状の収納部の内壁面に形成されたリブ４Ｃよって矢印Ｅだけさらに押され、これによってモータ接点６５,６６と電極７５,７６との更に強固な電気的接続が確立する。以上より、本実施形態では、モータ接点６５,６６と電極７５,７６との接続が、モータ６０のモータホルダ５０への挿入方向（図７の矢印Ｂの向き）でとられる。
なお、バイブレータユニット５が収納部に挿入された状態では、リブ４Ｃの上端が第１収納部５１の天板部の下面に当接されて、バイブレータユニット５の挿入方向（筐体２の厚さ方向）での位置決めがなされている。
その後、図４の回路基板２７とフレキシブルプリント配線基板７０との電気的接続を行い、当該バイブレータユニット５の筐体片２５への組み付けが完了する。
【００２９】
以下、本実施形態におけるモータ取り付け構造の利点を、携帯電話機１の厚さ方向にモータを収納し、これと同じ方向で電気的接続をとる構造との比較によって説明する。
【００３０】
携帯電話機１におけるモータ６０は振動を発生させるための部品であることから、電気的接触をとる端子のモータ接点６５,６６に振動による不具合を発生させる可能性が他の部品に比較して高い。この不具合を起こさないためには、接点圧が十分であることと、接点が振動等によってずれることがないという要件を満足することが必要である。
【００３１】
携帯電話機の厚さ方向にモータを収納し、これと同じ方向で電気的接続をとる構造では、以下の欠点がある。
モータの接点圧を確保するために押さえる必要があるが、この押さえを筐体、すなわちフロントケースとリアケースの接合で行うには十分な接点圧の確保ができない。
そのため、フロントケース以外に１個以上の部品が必要となる。つまり、フロントケースの厚み方向内側に開放した収納部にモータを収納し、モータの接点とフレキシブル基板との電気的接続を行った後、その接続部分を厚さ方向（収納部の深さ方向）に押さえつける蓋状の部材などが必要となる。接点部分で携帯電話機の厚さが増すが、この部品の厚さとその係止部分の厚さとによって、さらに携帯電話機の厚さが増加する。
【００３２】
また、複数の部品の組み合わせによって、部品の寸法公差が複数化してモータ収納構造全体の寸法が大きくばらつく。また、このモータ収納構造がばらつくと、接点圧もばらつく。さらにモータ収納構造のばらつきが大きいと、モータの収納スペースが大きくなり、モータに押し当てる力が弱くなって、振動によって接点部が摺動し磨耗粉が発生し、その磨耗粉が酸化し絶縁物になることによって接点部の導通不良を引き起こす要因になる。
【００３３】
本実施形態の携帯電話機１では、モータ６０を携帯電話機１のヒンジ部４に実装するにあたり、ヒンジ部４内の凹形状の収納部の深さ方向（携帯電話機１の厚さ方向）と異なる方向、たとえば、当該方向とほぼ直交する方向でモータ６０をモータホルダ５０に固定することにより、上記の構造の欠点を克服する。
【００３４】
より詳細に本実施形態では、モータ６０を収納する部品としてのモータホルダ５０にモータ６０を収納する場合に、その収納方向が携帯電話機１の厚さ方向と異なり、また、その収納方向で接点をとっている。追加部品としてのモータホルダ５０が携帯電話機１の厚さを増す要因とならないように構成することができ、また、接点自身も上記厚さを増す要因とならない。
【００３５】
十分な接点圧を確保するには部品の寸法公差を厳しく管理する必要がある。ただし、本実施形態では、さらにモータ６０のモータホルダ５０に対する挿入方向にクッション部材６３を介在させている。このためモータ６０のモータホルダ５０への挿入時にガタツキが生じない。しかも、バイブレータユニット５をヒンジ部４内の凹部状の収納部に挿入する際にクッション部材６３と収納部内壁面に形成されたリブ４Ｃとによって、モータ６０に対しさらに接点を強固にする向きの力が加わるため接点圧が高くなる。よって、部品の寸法公差によるばらつきがあっても、そのばらつきを吸収してモータ６０とフレキシブルプリント配線基板７０との十分かつ強固な電気的接続が達成され、振動によって、この良好な接続状態が変わることがない。
【００３６】
このバイブレータユニット５の組み立てが、フレキシブルプリント配線基板７０のモータホルダ５０への仮固定とモータ６０の挿入といった２ステップで済み、また、組み立てたバイブレータユニット５を凹部状の収納部に挿入するだけでバイブレータユニット５の取り付けが終了する。よって作業が容易で組み立てやすい。
さらに、部品の収納をヒンジ部４の内部空間を利用しているため、さらなる薄型化が可能である。
【００３７】
なお、モータホルダ５０とフレキシブルプリント配線基板７０の形状は、本実施形態のフロントケース２５の形状に適合させたものであり、フロントケース２５の形状や他の部品との配置に応じて変更される。
また、上記説明ではヒンジ部４をメインディスプレイ２１がある筐体２側に設けた携帯電話機１を例としたが、ヒンジ部を操作キーがある筐体３側に設ける場合もあり、そのような携帯電話機においても本部品収納構造の適用が可能である。
また上記説明では、ヒンジ部４の内部空間を収納部として利用した形態としたが、ヒンジ部４以外の部位に同様の収納部を設けるように構成してもよい。
その他、本発明の趣旨を逸脱しない範囲で種々の変更が可能である。
【図面の簡単な説明】
【００３８】
【図１】実施形態の携帯電話機について、その開状態の概観図である。
【図２】（Ａ）は携帯電話機のフロント面を上にし、（Ｂ）はバック面を上にしたときの閉状態の斜視図である。
【図３】フロントケースを内部側から見た斜視図である。
【図４】図３のＡ−Ａ線の断面図である。
【図５】バイブレータユニットの分解図である。
【図６】モータホルダにフレキシブルプリント配線基板を仮固定したときの斜視図である。
【図７】モータ収納時のバイブレータユニットの概略断面図である。
【図８】モータ挿入後のバイブレータユニットの斜視図である。
【符号の説明】
【００３９】
１…携帯電話機、２,３…筐体、２Ａ…基部、２５…フロントケース、２６…リアケース、２５Ａ…仕切り板、２７…回路基板、４…ヒンジ部、４Ａ…回転軸穴、４Ｂ…外周壁、４Ｃ…リブ、５…バイブレータユニット、５０…モータホルダ、５１…第１収納部、５２…第２収納部、５５…長側壁、６０…モータ、６１…モータ本体、６３…クッション部材、６５,６６…モータ接点、７０…フレキシブルプリント配線基板、７１…一方端部、７２…他方端部、７３,７４…フレキシブル配線部、７５,７６…電極
【図１】
0004699275.tif 000002
【図２】
0004699275.tif 000003
【図３】
0004699275.tif 000004
【図４】
0004699275.tif 000005
【図５】
0004699275.tif 000006
【図６】
0004699275.tif 000007
【図７】
0004699275.tif 000008
【図８】
0004699275.tif 000009